(57)【要約】【課題】端子を係止している係止部等を損傷させることなく、ハウジングから端子を円滑かつ容易に取り外すことが可能な端子抜き取り治具を提供すること。【解決手段】ハウジング６０の端子収容室７５に収容されたメス端子８１を係止するランス９１によるメス端子８１の係止状態を解除させる端子抜き取り治具１０であって、ハウジング６０に挿入されてランス９１の係止解除片９２に当接され、メス端子８１の係止方向と反対の係止解除方向へ変位させる解除ピン１２と、解除ピン１２の下方位置に並列に設けられ、ハウジング６０に形成された嵌合溝６５へ挿入されることで解除ピン１２をランス９１の係止解除片９２へ案内するガイドピン１３と、を有する。【選択図】図１
2020187850.tif 000002
【特許請求の範囲】
【請求項１】
ハウジングの端子収容室に収容された端子を係止する係止部による前記端子の係止状態を解除させる端子抜き取り治具であって、
前記ハウジングに挿入されて前記係止部に当接され、前記端子の係止方向と反対の係止解除方向へ変位させる解除ピンと、
前記解除ピンの下方位置または上方位置に並列に設けられ、前記ハウジングに形成された溝部へ挿入されることで前記解除ピンを前記係止部へ案内するガイドピンと、
を有する
ことを特徴とする端子抜き取り治具。
【請求項２】
前記解除ピンは、作業者によって把持される治具本体の先端に形成され、
前記ガイドピンは、前記治具本体に装着されるアタッチメントに形成されている、
ことを特徴とする請求項１に記載の端子抜き取り治具。
【請求項３】
前記ガイドピンは、前記解除ピンよりも小さい突出寸法を有する、
ことを特徴とする請求項１または２に記載の端子抜き取り治具。
【請求項４】
前記解除ピンは、前記ハウジングに嵌合される相手側ハウジングのフード部が挿入される溝部に前記ガイドピンが挿し込まれることで前記係止部へ案内される、
ことを特徴とする請求項１〜３のいずれか１項に記載の端子抜き取り治具。
【発明の詳細な説明】
【技術分野】
【０００１】
本発明は、端子抜き取り治具に関する。
【背景技術】
【０００２】
電線の端部に圧着されて接続された端子をハウジングの端子収容室に収容させたコネクタにおいて、例えば、電線との圧着不足などの不具合がある場合に、ハウジングの端子収容室から端子を取り外して新たな端子に交換することがある。
【０００３】
端子をハウジングの端子収容室から抜き取るには、端子抜き取り治具の解除ピンをハウジングに挿し込み、端子を係止している係止部を解除ピンの先端で変位させて端子の係止を解除させることとなる（例えば、特許文献１参照）。
【先行技術文献】
【特許文献】
【０００４】
【特許文献１】特開２００５−２１６６６０号公報
【発明の概要】
【発明が解決しようとする課題】
【０００５】
しかし、係止部による端子の係止を解除させる際に、ハウジングに対して端子抜き取り治具が傾いていると、解除ピンが斜めに挿し込まれ、解除ピンの先端部で係止部を損傷させたり変形させてしまうおそれがある。
【０００６】
本発明は、上述した事情に鑑みてなされたものであり、その目的は、端子を係止している係止部等を損傷させることなく、ハウジングから端子を円滑かつ容易に取り外すことが可能な端子抜き取り治具を提供することにある。
【課題を解決するための手段】
【０００７】
前述した目的を達成するために、本発明に係る端子抜き取り治具は、下記（１）〜（４）を特徴としている。
（１）  ハウジングの端子収容室に収容された端子を係止する係止部による前記端子の係止状態を解除させる端子抜き取り治具であって、
前記ハウジングに挿入されて前記係止部に当接され、前記端子の係止方向と反対の係止解除方向へ変位させる解除ピンと、
前記解除ピンの下方位置または上方位置に並列に設けられ、前記ハウジングに形成された溝部へ挿入されることで前記解除ピンを前記係止部へ案内するガイドピンと、
を有する
ことを特徴とする端子抜き取り治具。
【０００８】
（２）  前記解除ピンは、作業者によって把持される治具本体の先端に形成され、
前記ガイドピンは、前記治具本体に装着されるアタッチメントに形成されている、
ことを特徴とする上記（１）に記載の端子抜き取り治具。
【０００９】
（３）  前記ガイドピンは、前記解除ピンよりも小さい突出寸法を有する、
ことを特徴とする上記（１）または（２）に記載の端子抜き取り治具。
【００１０】
（４）  前記解除ピンは、前記ハウジングに嵌合される相手側ハウジングのフード部が挿入される溝部に前記ガイドピンが挿し込まれることで前記係止部へ案内される、
ことを特徴とする上記（１）〜（３）のいずれかに記載の端子抜き取り治具。
【００１１】
上記（１）の構成の端子抜き取り治具によれば、解除ピンに対して上方位置または下方位置に並列に設けられたガイドピンがハウジングの溝部へ挿入されることで、解除ピンが係止部へ案内される。つまり、ハウジングに対して端子抜き取り治具が傾いていたとしても、ハウジングの溝部へ挿入されるガイドピンによってハウジングに対する端子抜き取り治具の姿勢が矯正される。これにより、解除ピンが正規の方向へ挿し込まれて係止部へ案内される。したがって、係止部やハウジング内の部位を解除ピンで破損させたり変形させるような不具合なく係止部を変位させて端子の係止を円滑かつ容易に解除させることができる。また、ガイドピンによって解除ピンが正規の方向へ案内されるので、解除ピンを正規の方向へ慎重に確認しながら挿し込まなくてもよくなり、作業者への負担を低減させ、作業性を向上させることができる。
【００１２】
上記（２）の構成の端子抜き取り治具によれば、治具本体にアタッチメントを装着することで、解除ピンに対してガイドピンを容易に並列に配置させることができる。
【００１３】
上記（３）の構成の端子抜き取り治具によれば、解除ピンがハウジングへ挿し込まれた後にガイドピンがハウジングの溝部に挿し込まれて解除ピンを案内する。したがって、ガイドピンが、例えば、シール部材などのハウジング内の部材や部位等に接触するのを極力抑制することができ、ハウジングへのダメージを抑えることができる。
【００１４】
上記（４）の構成の端子抜き取り治具によれば、相手側ハウジングのフード部が挿入される溝部を利用して解除ピンのガイドを行うことができるので、ガイドのための部位をハウジングに形成することによるコストの上昇を抑えることができる。
【発明の効果】
【００１５】
本発明によれば、端子を係止している係止部等を損傷させることなく、ハウジングから端子を円滑かつ容易に取り外すことが可能な端子抜き取り治具を提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、本実施形態に係る端子抜き取り治具の斜視図である。
【図２】図２は、本実施形態に係る端子抜き取り治具の分解斜視図である。
【図３】図３は、端子抜き取り治具の先端部における軸方向に沿う断面図である。
【図４】図４は、ガイドピンを示す図であって、図４（ａ）はガイドピンの平面図、図４（ｂ）はガイドピンの側面図である。
【図５】図５は、端子抜き取り治具が適用されるコネクタの正面図である。
【図６】図６は、図５におけるＡ−Ａ断面図である。
【図７】図７は、図５におけるＢ−Ｂ断面図である。
【図８】図８は、端子の抜き取り作業を説明するコネクタ及び端子抜き取り治具の断面図である。
【図９】図９は、端子の抜き取り作業時の状態を示す図であって、図９（ａ）及び図９（ｂ）はそれぞれコネクタ及び端子抜き取り治具の断面図である。
【図１０】図１０は、ガイドピンを備えない端子抜き取り治具による端子の抜き取り作業時の状態を示す図であって、図１０（ａ）はコネクタ及び端子抜き取り治具の断面図、図１０（ｂ）は図１０（ａ）におけるＣ部拡大図である。
【発明を実施するための形態】
【００１８】
本発明に関する具体的な実施形態について、各図を参照しながら以下に説明する。
【００１９】
図１は、本実施形態に係る端子抜き取り治具１０の斜視図である。図２は、本実施形態に係る端子抜き取り治具１０の分解斜視図である。図３は、端子抜き取り治具１０の先端部における軸方向に沿う断面図である。図４は、ガイドピン１３を示す図であって、図４（ａ）はガイドピン１３の平面図、図４（ｂ）はガイドピン１３の側面図である。
【００２０】
図１〜図３に示すように、本実施形態に係る端子抜き取り治具１０は、治具本体１１と、解除ピン１２と、ガイドピン１３とを有している。
【００２１】
治具本体１１は、作業者によって把持される棒状に形成されており、断面視矩形状になっている。治具本体１１の先端部には、前方へ延びる支持棒部２１が形成されている。支持棒部２１は、治具本体１１よりも断面視で小さな外形を有している。また、治具本体１１には、その先端近傍における両側面に、係合凹部２３が形成されている。
【００２２】
解除ピン１２は、支持棒部２１の先端に形成されている。支持棒部２１の先端には、一対の解除ピン１２が、互いに間隔をあけて前方へ並列に延在している。解除ピン１２は、その先端に、傾斜面からなる押圧面２５を有している。押圧面２５は、先端へ向かって次第に下方へ傾斜している。なお、本実施形態において下方、上方は、それぞれ図１〜図３や図５等における下方、上方に対応している。
【００２３】
ガイドピン１３は、アタッチメント３１に形成されている。アタッチメント３１は、箱型の装着部３３を有しており、ガイドピン１３は、装着部３３の先端における下部に形成されている。装着部３３は、底板部３５と、一対の側板部３６と、上板部３７と、を有し、断面視矩形状に形成されている。
【００２４】
装着部３３は、後部に開口を有し、この開口された後部から治具本体１１が挿入される。これにより、治具本体１１は、支持棒部２１を有する先端部の周囲がアタッチメント３１の装着部３３によって覆われる。
【００２５】
装着部３３は、前方に開口部４１を有しており、治具本体１１を装着部３３に挿し込むと、治具本体１１の支持棒部２１に設けられた解除ピン１２が開口部４１から突出される。また、装着部３３は、上板部３７が切り欠かれており、この切り欠き部分が窓部４３となっている。さらに、装着部３３の両側板部３６の内面側には、治具本体１１に形成された係合凹部２３に係合可能な係合凸部４５が形成されている。これらの係合凸部４５が係合凹部２３に係合されることで、治具本体１１に対してアタッチメント３１が所定位置に保持される。
【００２６】
図４（ａ）及び図４（ｂ）に示すように、ガイドピン１３は、装着部３３から前方へ突出している。ガイドピン１３は、その先端に、傾斜面からなるガイド面３９を有している。ガイド面３９は、先端へ向かって次第に下方へ傾斜している。
【００２７】
端子抜き取り治具１０は、治具本体１１にアタッチメント３１を装着することで、解除ピン１２に対してガイドピン１３が下方側に並列に配置される。この状態で、ガイドピン１３は、解除ピン１２よりも突出寸法が小さく、その先端位置が解除ピン１２よりも引き込んだ位置に配置される。
【００２８】
次に、上記構造の本実施形態に係る端子抜き取り治具１０が適用されるコネクタの一例を説明する。
図５は、端子抜き取り治具１０が適用されるコネクタ５０の正面図である。図６は、図５におけるＡ−Ａ断面図である。図７は、図５におけるＢ−Ｂ断面図である。
【００２９】
図５及び図６に示すように、コネクタ５０は、二つのメス端子（端子）８１を収容するハウジング６０を備えている。ハウジング６０は、合成樹脂により形成されており、インナーハウジング６１と、インナーハウジング６１を包囲する筒状のアウターハウジング６３とが連ねて形成されている。インナーハウジング６１とアウターハウジング６３との間には、環状の隙間からなる嵌合溝（溝部）６５が形成されており、この嵌合溝６５には、ハウジング６０に嵌合される相手側ハウジング（図示略）のフード部が挿入される。インナーハウジング６１には、根元における外周面にシール部材６４が装着されており、嵌合溝６５にフード部が挿入されてシール部材６４に密着することで、ハウジング６０と相手側ハウジングとの嵌合箇所がシールされる。
【００３０】
インナーハウジング６１には、後方からメス端子８１が挿入される二つの端子収容室７５が形成されている。各端子収容室７５は、インナーハウジング６１の先端部が外部に開放され、相手側ハウジングに設けられたタブ状のオス端子（図示略）が先端側から挿入される。
【００３１】
端子収容室７５に挿入されて収容されるメス端子８１は、電線８３の端部に接続されている。メス端子８１は、オス端子が挿入されることでオス端子と電気的に接続される角筒状に形成された電気接続部８５を有している。
【００３２】
端子収容室７５には、後端側に、ランス９１が設けられている。ランス９１は、後端側がインナーハウジング６１に一体に形成されており、先端側が端子収容室７５内へ向かって延在している。ランス９１は、端子収容室７５に収容されたメス端子８１の角筒状の電気接続部８５の後端を係止する。これにより、メス端子８１が端子収容室７５から抜け止めされる。
【００３３】
図７に示すように、ハウジング６０のインナーハウジング６１には、端子収容室７５の側方に、治具挿入スペースＳが形成されている。また、端子収容室７５を形成する側壁７６の外面には、ハウジング６０の前方側へ延びる係止解除片９２がランス９１と一体に形成されている。この係止解除片９２は、治具挿入スペースＳに配置されており、インナーハウジング６１の底壁６２に対して隙間Ｇをあけて形成されている。この係止解除片９２の先端位置は、インナーハウジング６１に装着されたシール部材６４の先端位置よりも僅かにハウジング６０の前方側とされている。そして、ハウジング６０では、端子収容室７５に設けられたランス９１と、治具挿入スペースＳに配置されてランス９１に一体に形成された係止解除片９２とによって係止部が構成されている。
【００３４】
次に、本実施形態に係る端子抜き取り治具１０を用い、コネクタ５０のハウジング６０の端子収容室７５に収容されたメス端子８１を取り外す場合について説明する。
図８は、端子の抜き取り作業を説明するコネクタ５０及び端子抜き取り治具１０の断面図である。図９は、端子の抜き取り作業時の状態を示す図であって、図９（ａ）及び図９（ｂ）はそれぞれコネクタ５０及び端子抜き取り治具１０の断面図である。
【００３５】
まず、コネクタ５０のハウジング６０に対して前方側から端子抜き取り治具１０を近づける。そして、端子抜き取り治具１０の解除ピン１２を治具挿入スペースＳへ挿し込む。
【００３６】
このように、解除ピン１２を治具挿入スペースＳへ挿し込むと、図８に示すように、解除ピン１２の下方に並列に設けられたガイドピン１３がインナーハウジング６１とアウターハウジング６３との隙間である嵌合溝６５に挿し込まれる。すると、コネクタ５０のハウジング６０に対して端子抜き取り治具１０の解除ピン１２がガイドピン１３によってガイドされ、治具挿入スペースＳへインナーハウジング６１の底壁６２の内面に沿って正規の方向である真直方向に挿入される。これにより、解除ピン１２の先端がインナーハウジング６１の底壁６２と係止解除片９２との隙間Ｇに入り込み、解除ピン１２の先端の傾斜面からなる押圧面２５が係止解除片９２の端部に当接する。すると、係止解除片９２が押圧面２５に沿って押上げられるように変位し、この係止解除片９２と一体に形成されたランス９１が、係止解除方向である上方へ持ち上げられてメス端子８１の電気接続部８５の係止が解除される。そして、このランス９１によるメス端子８１の電気接続部８５の係止の解除状態で電線８３を引っ張ることで、メス端子８１が端子収容室７５から引き抜かれる。
【００３７】
ところで、端子抜き取り治具１０の解除ピン１２をコネクタ５０のハウジング６０に形成された治具挿入スペースＳへ挿し込む際に、ハウジング６０に対して端子抜き取り治具１０が傾いていることで、解除ピン１２が治具挿入スペースＳへ正規の方向とは異なる斜め方向に挿し込まれることがある。例えば、図９（ａ）に示すように、治具挿入スペースＳに対して解除ピン１２が斜め上方から挿し込まれたり、図９（ｂ）に示すように、治具挿入スペースＳに対して解除ピン１２が斜め下方から挿し込まれることがある。
【００３８】
図９（ａ）に示すように、ハウジング６０に対して端子抜き取り治具１０が傾いているために、治具挿入スペースＳに対して解除ピン１２が斜め上方から挿し込まれると、ガイドピン１３のガイド面３９がインナーハウジング６１の底壁６２に接触しながら嵌合溝６５に入り込む。すると、ハウジング６０に対して傾いた端子抜き取り治具１０の姿勢が矯正され、治具挿入スペースＳに対して解除ピン１２が正規の方向である真直方向に案内されて挿し込まれる。
【００３９】
同様に、図９（ｂ）に示すように、ハウジング６０に対して端子抜き取り治具１０が傾いているために、治具挿入スペースＳに対して解除ピン１２が斜め下方から挿し込まれる場合も、ガイドピン１３がインナーハウジング６１とアウターハウジング６３とに接触しながらハウジング６０の嵌合溝６５に入り込む。すると、ハウジング６０に対して傾いた端子抜き取り治具１０の姿勢が矯正される。これにより、治具挿入スペースＳに対して解除ピン１２が正規の方向である真直方向に案内されて挿し込まれる。
【００４０】
例えば、図１０（ａ）に示すように、ガイドピン１３を備えていない端子抜き取り治具１０Ａでは、ハウジング６０に対して端子抜き取り治具１０Ａが傾いていることで、解除ピン１２が治具挿入スペースＳへ斜めに奥まで挿し込まれることがある。すると、図１０（ｂ）に示すように、解除ピン１２の先端が係止解除片９２の端部に突き当たり、係止解除片９２が損傷したり変形してハウジング６０が使用できなくなるおそれがある。
【００４１】
これに対して、本実施形態によれば、ハウジング６０に対して端子抜き取り治具１０が傾いていたとしても、ハウジング６０の嵌合溝６５へ挿入されるガイドピン１３によってハウジング６０に対する端子抜き取り治具１０の姿勢が矯正される。これにより、解除ピン１２が正規の方向へ挿し込まれて係止解除片９２へ案内される。したがって、係止解除片９２やハウジング６０内の部位を解除ピン１２で破損させたり変形させるような不具合なく係止解除片９２が一体に形成されたランス９１を変位させてメス端子８１の係止を円滑かつ容易に解除させることができる。また、ガイドピン１３によって解除ピン１２が正規の方向へ案内されるので、解除ピン１２を正規の方向へ慎重に確認しながら挿し込まなくてもよくなり、作業者への負担を低減させ、作業性を向上させることができる。
【００４２】
しかも、治具本体１１にアタッチメント３１を装着することで、解除ピン１２に対してガイドピン１３を容易に並列に配置させることができる。
【００４３】
また、解除ピン１２がハウジング６０へ挿し込まれた後にガイドピン１３がハウジング６０の嵌合溝６５に挿し込まれて解除ピン１２を案内する。したがって、ガイドピン１３が、例えば、シール部材６４などのハウジング６０内の部材や部位等に接触するのを極力抑制することができ、ハウジング６０へのダメージを抑えることができる。
【００４４】
さらに、相手側ハウジングのフード部が挿入される嵌合溝６５を利用して解除ピン１２のガイドを行うことができるので、ガイドのための部位をハウジング６０に形成することによるコストの上昇を抑えることができる。
【００４５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４６】
例えば、上記実施形態では、端子抜き取り治具１０が適用されるコネクタとして、ランス９１に一体に設けられた係止解除片９２が変位されることでランス９１によるメス端子８１の係止が解除されるコネクタ５０としたが、これに限らない。例えば、端子抜き取り治具１０の解除ピン１２によってランスが直接変位されることでメス端子の係止が解除されるコネクタであってもよい。
【００４７】
また、上記実施形態では、解除ピン１２の下方位置にガイドピン１３が配置された場合を例示したが、ガイドピン１３は、解除ピン１２の上方位置に配置されていてもよい。
【００４８】
ここで、上述した本発明の実施形態に係る端子抜き取り治具の特徴をそれぞれ以下［１］〜［４］に簡潔に纏めて列記する。
［１］  ハウジング（６０）の端子収容室（７５）に収容された端子（メス端子８１）を係止する係止部（ランス９１）による前記端子（メス端子８１）の係止状態を解除させる端子抜き取り治具（１０）であって、
前記ハウジング（６０）に挿入されて前記係止部（ランス９１，係止解除片９２）に当接され、前記端子（メス端子８１）の係止方向と反対の係止解除方向へ変位させる解除ピン（１２）と、
前記解除ピン（１２）の下方位置または上方位置に並列に設けられ、前記ハウジング（６０）に形成された溝部（嵌合溝６５）へ挿入されることで前記解除ピン（１２）を前記係止部（ランス９１，係止解除片９２）へ案内するガイドピン（１３）と、
を有する
ことを特徴とする端子抜き取り治具。
【００４９】
［２］  前記解除ピン（１２）は、作業者によって把持される治具本体（１１）の先端に形成され、
前記ガイドピン（１３）は、前記治具本体（１１）に装着されるアタッチメント（３１）に形成されている、
ことを特徴とする上記［１］に記載の端子抜き取り治具。
【００５０】
［３］  前記ガイドピン（１３）は、前記解除ピン（１２）よりも小さい突出寸法を有する、
ことを特徴とする上記［１］または［２］に記載の端子抜き取り治具。
【００５１】
［４］  前記解除ピン（１２）は、前記ハウジング（６０）に嵌合される相手側ハウジングのフード部が挿入される溝部（嵌合溝６５）に前記ガイドピン（１３）が挿し込まれることで前記係止部（ランス９１，係止解除片９２）へ案内される、
ことを特徴とする上記［１］〜［３］のいずれかに記載の端子抜き取り治具。
【符号の説明】
【００５２】
１０  端子抜き取り治具
１１  治具本体
１２  解除ピン
１３  ガイドピン
３１  アタッチメント
６０  ハウジング
６５  嵌合溝（溝部）
７５  端子収容室
８１  メス端子（端子）
９１  ランス（係止部）
９２  係止解除片（係止部）
【図１】
2020187850.tif 000003
【図２】
2020187850.tif 000004
【図３】
2020187850.tif 000005
【図４】
2020187850.tif 000006
【図５】
2020187850.tif 000007
【図６】
2020187850.tif 000008
【図７】
2020187850.tif 000009
【図８】
2020187850.tif 000010
【図９】
2020187850.tif 000011
【図１０】
2020187850.tif 000012